(57)【要約】【課題】  モータの加速電流の影響で、所定の負荷に達する前にモータが停止してしまうことを防止可能なシートベルト巻き取り装置における巻き取り制御方法を提供する。【解決手段】  シートベルトが全量巻き取られた状態等において、モータへの負荷が増大し、モータ電流が急上昇するＡ点において、モータ電流が閾値を超えるので、この時点でモータに印加する電圧をゼロとするような設計となっている。モータに電圧が印加された直後において、加速電流が流れるため、検出される電流値がＢ点において閾値を超えてしまうが、巻き取り指令を出してから、予め測定により決定された時間Ｔが経過するまでの間は、モータの電流が閾値をこえたかどうかの判断を停止している。よって、加速電流の影響によってモータの電流が閾値を超えるＢ点においては、モータの電流が閾値をこえたかどうかの判断がなされず、モータが停止することがない。【選択図】  図１
2005324620.tif 000002
【特許請求の範囲】
【請求項１】
モータによりシートベルトの巻き取り操作を行う機能を有するシートベルト巻き取り装置における巻き取り制御方法であって、前記モータの電流値を測定し、測定された電流値が所定値を超えたときに巻き取り動作を停止するものにおいて、前記モータが加速している間は、測定された電流値が前記所定値を超えても、巻き取り動作を停止しないようにしたことを特徴とするシートベルト巻き取り装置における巻き取り制御方法。
【請求項２】
モータによりシートベルトの巻き取り操作を行う機能を有するシートベルト巻き取り装置における巻き取り制御方法であって、前記モータの電流値を測定し、測定された電流値が所定値を超えたときに巻き取り動作を停止するものにおいて、前記モータに印加する電圧を増加させてから所定の時間が経過するまでは、測定された電流値が前記所定値を超えても、巻き取り動作を停止しないようにしたことを特徴とするシートベルト巻き取り装置における巻き取り制御方法。
【請求項３】
モータによりシートベルトの巻き取り操作を行う機能を有するシートベルト巻き取り装置における巻き取り動作制御方法であって、前記モータの電流値を測定し、測定された電流値が所定値を超えたときに巻き取り動作を停止するものにおいて、前記モータの加速度を、前記モータに流れる電流値が、前記所定値を超えない範囲に抑えたことを特徴とするシートベルト巻き取り装置における巻き取り制御方法。
【請求項４】
請求項１から請求項３のうちいずれか１項に記載のシートベルト巻き取り装置における巻き取り制御方法を実施する機能を有するシートベルト巻き取り装置を備えたことを特徴とするシートベルト装置。
【発明の詳細な説明】
【技術分野】
【０００１】
本発明は、モータによりシートベルトの巻き取り操作を行う機能を有するシートベルト巻き取り装置における巻き取り制御方法、及びシートベルト装置に関するものである。
【背景技術】
【０００２】
シートベルト巻き取り装置においては、
（１）余分に引き出されたシートベルトを、人間の体にフィットするまで確実に巻き取ること、また、人間が装着しない場合においては、引き出されたシートベルトを確実に収納部に収納するまで巻き取ること
（２）正常装着した状態で乗員の胸部等に不必要な圧追感を与えないようにすること
を同時に満足することが必要とされる。しかしながら、単一のリターンスプリングの付勢力を利用したシートベルト巻き取り装置においては、装着時における乗員の胸部への圧迫感を小さくするために付勢カの弱いスプリングを使用すると、ベルト巻き取り時（収容時）の巻込み力が弱くなり、操作性、格納性が低下する。反対に、巻き取り時に充分な巻き取り力を発揮するために付勢力の強いスプリングを使用すると、正常装着時における乗員の胸部への圧追感が大きくなってしまうという問題があった。
【０００３】
このような問題点を解決する方法として、リターンスプリングによる巻き取り力に加え、モータによりシートベルトを巻き取るシートベルト巻き取り装置の発明が、例えば、特開平３−５５２号公報（特許文献１）、特開２００１−２２５７２０号公報（特許文献２）に記載されている。
【０００４】
このようにシートベルトをモータよって巻き取る際には、下記の事項が考慮されなければならない。
（１）シートベルトの全量の巻き取りを完了したときに、モータへの給電を停止する（巻き取り動作を停止する）。このようにしないと、モータに不必要な電流を流すためにバッテリーの電力が無駄に消費されるばかりでなく、大電流を長時間流しても過熱しないようなモータを使用する必要が発生する。
（２）シートベルト巻き取り時に、シートベルトが何かに引っかかったり、乗員がシートベルトを引き出す操作を行ったときには、モータへの給電を停止する（巻き取り動作を停止する）。このようにしないと、モータに不必要な電流を流すためにバッテリーの電力が無駄に消費されたり、乗員のシートベルト引き出し操作が大きな抵抗力を受けることになり、違和感を与えることになる。
【０００５】
このような問題の発生を防ぐために、従来のシートベルト巻き取り制御装置においては、モータに流す電流を検出し、検出された電流値が所定値を超えた場合に、前述の（１）又は（２）の状態であると判断して、モータへの給電を停止する（巻き取り動作を停止する）ような制御を行っていた。
【発明の開示】
【発明が解決しようとする課題】
【０００６】
しかしながら、上記のようなモータの巻き取り制御方法には以下のような問題点があった。一般に、モータに巻き取り指令が与えられた直後、及び段階的に巻き取り速度を高めるような制御を行う場合には、モータに加速電流が流れる。その様子を図３に示す。
【０００７】
図３（ａ）は通常の巻き取り制御を行う場合であり、モータに一定電圧が印加された状態でシートベルトの巻き取りが始まり、前述のように、シートベルトが全量巻き取られた状態等において、モータが停止し、モータ電流が急上昇するＡ点において、モータ電流が閾値を超えるので、この時点でモータに印加する電圧をゼロとするような設計となっている（図３（ａ）においては、説明の都合上電圧をそのままに維持した状態を示している）。
【０００８】
ところが、モータに電圧が印加された直後において、モータが加速している状態においては、加速電流が流れるため、検出される電流値がＢ点において閾値を超えてしまい、制御装置が、この時点でモータに印加する電圧をゼロとしてしまうという問題点がある。
【０００９】
則ち、（ａ）においては、本来ならばモータに印加する電圧をゼロにすべき点は、シートベルトの全量巻き取り完了、乗員のシートベルト引き出し等によって負荷が増大して、それに伴いモータの電流が閾値を超えたＡ点であるべきであるが、モータ始動時に電流が、点Ｂにおいて閾値を超えてしまうため、Ｂ点でモータに印加される電圧がゼロになり、モータが停止してしまう。
【００１０】
又、（ｂ）においては、モータの回転速度変化が段階的に行われるため、モータの始動時においては加速電流が閾値を超えないが、２回目の加速においては、シートベルトの巻き取り負荷電流が重畳されるため、Ｃ点において加速電流を含めた電流値が閾値を超え、Ｃ点でモータに印加される電圧がゼロになり、モータが停止してしまう。
【００１１】
本発明はこのような事情に鑑みてなされたもので、モータの加速電流の影響で、所定の負荷に達する前にモータが停止してしまうことを防止可能なシートベルト巻き取り装置における巻き取り制御方法、及びシートベルト装置を提供することを課題とする。
【課題を解決するための手段】
【００１２】
前記課題を解決するための第１の手段は、モータによりシートベルトの巻き取り操作を行う機能を有するシートベルト巻き取り装置における巻き取り制御方法であって、前記モータの電流値を測定し、測定された電流値が所定値を超えたときに巻き取り動作を停止するものにおいて、前記モータが加速している間は、測定された電流値が前記所定値を超えても、巻き取り動作を停止しないようにしたことを特徴とするシートベルト巻き取り装置における巻き取り制御方法（請求項１）である。
【００１３】
本手段においては、モータが加速している間は、測定された電流値が前記所定値を超えても、巻き取り動作を停止しないようにしているので、モータの加速電流の影響で、所定の負荷に達する前にモータが停止してしまうことを防止できる。ここで、「モータが加速している間」というのは、実際にタコジェネレータやパルスエンコーダをモータに取り付けて加速の有無を調べても良いが、経験的に加速時間が分かっている場合には、加速を開始する指令を出してから、モータの加速が完了するまでの間としても十分、作用効果を発揮することができる。
【００１４】
前記課題を解決するための第２の手段は、モータによりシートベルトの巻き取り操作を行う機能を有するシートベルト巻き取り装置における巻き取り制御方法であって、前記モータの電流値を測定し、測定された電流値が所定値を超えたときに巻き取り動作を停止するものにおいて、前記モータに印加する電圧を増加させてから所定の時間が経過するまでは、測定された電流値が前記所定値を超えても、巻き取り動作を停止しないようにしたことを特徴とするシートベルト巻き取り装置における巻き取り動作停止方法（請求項２）である。
【００１５】
一般にシートベルト巻き取り装置においては、モータの回転速度制御を行わず、モータに印加する電圧を調整することにより、間接的にモータの回転速度を変化させている。このような場合、加速電流は、印加された電圧とモータの逆起電力の差に比例し、モータの逆起電力はモータの回転速度に比例する。従って、加速電流は印加電圧を変化させた瞬間に最大となり、モータ回転速度が上昇すると共に低下する。
【００１６】
本手段においては、この性質に着目し、加速電流が大きな時間帯でのみ、測定された電流値が前記所定値を超えても、巻き取り動作を停止しないようにしている。加速電流が大きな時間帯としてどの程度の時間帯を選ぶかは、実験又は計算により定めることができる。
【００１７】
前記課題を解決するための第３の手段は、モータによりシートベルトの巻き取り操作を行う機能を有するシートベルト巻き取り装置における巻き取り動作制御方法であって、前記モータの電流値を測定し、測定された電流値が所定値を超えたときに巻き取り動作を停止するものにおいて、前記モータの加速度を、前記モータに流れる電流値が、前記所定値を超えない範囲に抑えたことを特徴とするシートベルト巻き取り装置における巻き取り制御方法（請求項３）である。
【００１８】
本手段においては、モータの加速度を、モータに流れる電流値が、所定値を超えない範囲に抑えているので、モータの加速電流の影響で、所定の負荷に達する前にモータが停止してしまうことを防止できる。ここで、「モータの加速度」というのは、回転速度の変化率のみを言うのではなく、モータの回転速度をステップ的に上昇させる指令を与えたり、モータに印加する電圧をステップ的に上昇させたりする場合には、その上昇の程度も含むものである。
【００１９】
前記課題を解決するための第４の手段は、前記第１の手段から第３の手段のいずれかであるシートベルト巻き取り装置における巻き取り制御方法を実施する機能を有するシートベルト巻き取り装置を備えたことを特徴とするシートベルト装置（請求項４）である。
【００２０】
本手段においては、前記前記第１の手段から第３の手段が奏する作用効果を奏することができる。
【発明の効果】
【００２１】
本発明によれば、モータの加速電流の影響で、所定の負荷に達する前にモータが停止してしまうことを防止可能なシートベルト巻き取り装置における巻き取り制御方法、及びシートベルト装置を提供することができる。
【発明を実施するための最良の形態】
【００２２】
以下、本発明の実施の形態の例を、図を用いて説明する。図１は、本発明の第１の実施の形態であるシートベルト巻き取り装置における巻き取り制御方法を説明するための図であり、図３に対応するものである。
【００２３】
すなわち、（ａ）は通常の巻き取り制御を行う場合であり、モータに一定電圧が印加された状態でシートベルトの巻き取りが始まり、前述のように、シートベルトが全量巻き取られた状態等において、モータが停止し、モータ電流が急上昇するＡ点において、モータ電流が閾値を超えるので、この時点でモータに印加する電圧をゼロとするような設計となっている（図１（ａ）においては、説明の都合上電圧をそのままに維持した状態を示している）。
【００２４】
ところが、モータに電圧が印加された直後において、モータが加速している状態においては、加速電流が流れるため、検出される電流値がＢ点において閾値を超えてしまい、制御装置が、この時点でモータに印加する電圧をゼロとしてしまうという問題点がある。
【００２５】
則ち、（ａ）においては、本来ならばモータに印加する電圧をゼロにすべき点は、シートベルトの全量巻き取り完了、乗員のシートベルト引き出し等によって負荷が増大して、それに伴いモータの電流が閾値を超えたＡ点であるべきであるが、モータ始動時の加速電流が、点Ｂにおいて閾値を超えてしまうため、Ｂ点でモータに印加される電圧がゼロになり、モータが停止してしまう。
【００２６】
そこで、この実施の形態においては、モータが加速している間、則ち、巻き取り指令を出してから、予め測定により決定された時間Ｔが経過するまでの間は、モータの電流が閾値をこえたかどうかの判断を停止している。よって、加速電流の影響によってモータの電流が閾値を超えるＢ点においては、モータの電流が閾値をこえたかどうかの判断がなされず、モータが停止することがない。モータは、実際に負荷が増大したＡ点において停止される。
【００２７】
（ｂ）においても、同様であり、モータに加速指令が出されるたびに、則ち印加される電圧が上昇する毎に、それから、予め測定された時間Ｔ’が経過するまでの間は、モータの電流が閾値をこえたかどうかの判断を停止している。よって、加速電流の影響によってモータの電流が閾値を超えるＣ点においては、モータの電流が閾値をこえたかどうかの判断がなされず、モータが停止することがない。モータは、実際に負荷が増大したＡ点において停止される。
【００２８】
なお、この場合、１回目の加速と２回目の加速の程度が異なる場合は、それに合わせて、判断を停止する時間を変更してもよいが、通常は、各加速の加速時間の最大のものに、判断を停止する時間を合わせておけば十分である。
【００２９】
以上の説明においては、時間Ｔ、Ｔ’として、モータの加速が終わるまでの時間を設定しているが、前述のように、加速電流は印加電圧の変化があった瞬間に最大となり、以下モータ回転速度の上昇と共に低減するので、Ｔ、Ｔ’として加速電流の大きな時間を設定して、モータの加速が終わるまでの時間より短くすることもできる。
【００３０】
図２は、本発明の第２の実施の形態であるシートベルト巻き取り装置における巻き取り制御方法を説明するための図である。この実施の形態においては、モータを加速するとき（図２においては、モータの始動のときを示す）において、モータの回転速度指令を一度に目標値まで上げず（則ちモータに印加する電圧を目標値まで一気に上げず）段階的に上昇させている。よって、モータに流れる加速電流が小さくなり、設定された閾値を超えることがない。よって、加速電流の影響でモータが停止することが無く、モータは、実際に負荷が増大したＡ点において停止される。
【図面の簡単な説明】
【００３１】
【図１】本発明の第１の実施の形態であるシートベルト巻き取り装置における巻き取り制御方法を説明するための図である。
【図２】本発明の第２の実施の形態であるシートベルト巻き取り装置における巻き取り制御方法を説明するための図である。
【図３】従来のシートベルト巻き取り制御の問題点を説明するための図である。
【図１】
2005324620.tif 000003
【図２】
2005324620.tif 000004
【図３】
2005324620.tif 000005